【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
デンタルピックを分離、保管および供給する装置であって、
連結された複数のデンタルピックを含むデンタルピックのシートを受け入れる容器と、
デンタルピックのシートを個々のデンタルピックに分離する分離装置と、
個々のデンタルピックを１つずつ供給する供給装置と、を備えることを特徴とする装置。
【請求項２】
第１のヒンジによって取り付けられた前記容器の第１の本体部および前記容器の第２の本体部と、
デンタルピックを保持し、それぞれ１つのデンタルピックを収容するように形状づけられた中空キャビティを含むラックと、をさらに備え、前記ラックは、第１の本体部と第２の本体部の間で前記ヒンジに連結されており、
前記分離装置は、前記ラックに取り付けられた複数の壁と、第２の本体部に取り付けられた複数の一段高い面と、を含むことを特徴とする請求項１に記載の装置。
【請求項３】
前記一段高い面は、前記容器が閉じられたときにデンタルピックを圧力下で分離するように充分な面積および突出部を有するよう形状づけられており、
前記ラックは、両面を有し、両面にデンタルピックを保持し、
前記ラックは、ユーザがデンタルピックをつかむことを可能にするように頂端部にスカラップ状の切欠きを有し、
前記複数の壁は、前記中空キャビティの間に設けられており、
前記複数の壁は、複数のブレードを含むことを特徴とする請求項２に記載の装置。
【請求項４】
前記容器は、複数のラックを含み、
前記複数のラックは、第１の本体部と第２の本体部との間で第１のヒンジに連結されていることを特徴とする請求項２に記載の装置。
【請求項５】
デンタルピックは、前記容器が開位置にあるときに前記ラックの中空キャビティに配置することによって装填され、
デンタルピックは、容器を閉じて前記一段高い面と前記複数の壁との間で該デンタルピックを押すことによって分離され、
デンタルピックは、該デンタルピックを分離した後で前記容器を開けることによって供給されることを特徴とする請求項２に記載の装置。
【請求項６】
前記容器の第２の本体部に取り付けられた前記容器の第１の本体部をさらに備え、第１の本体部は、ヒンジに沿って第２の本体部に取り付けられており、
前記分離装置は、第１の本体部に取り付けられ、前記容器の第１の側において高さが低い出口シュートを画成するレッジを有する一段高いプラットフォームと、前記容器の第１の側において第２の本体部に取り付けられた一段高い面と、を有し、
前記供給装置は、前記出口シュートの端部に設けられた開口部を含み、
前記容器が閉じられるときに、前記一段高い面が前記出口シュートのレッジに隣接して配置されることを特徴とする請求項１に記載の装置。
【請求項７】
デンタルピックのシートは、前記容器が開位置のときに１つのデンタルピックが前記出口シュートに配置されるように該容器内に配置することで装填され、
前記容器が閉位置にあるときに、前記出口シュートに配置されたデンタルピックは、前記レッジに沿って該デンタルピックを前記一段高い面によって押すことによって分離され、
前記出口シュートの端部における開口部を通してデンタルピックが１つずつ供給されることを特徴とする請求項６に記載の装置。
【請求項８】
前記一段高い面は、第２の本体部に設けられたレバーまたはボタンに連結されており、これらのレバーまたはボタンは、前記出口シュートに配置されたデンタルピックに対して第２の本体部の外側面から内向きに押され、
レバーまたはボタンが押されると、出口シュートに配置されたデンタルピックは、デンタルピックのシートから分離されることを特徴とする請求項６に記載の装置。
【請求項９】
前記容器内に配置された摺動フェンスをさらに備え、この摺動フェンスは、最も外側のデンタルピックが出口シュートに配置されるまでデンタルピックのシートを横向きに移動させ、
前記摺動フェンスは、手動で操作されるかバネ付勢されており、
前記摺動フェンスは、デンタルピックのシートの装填を可能とするように前記容器が開位置にあるときに固定位置に摺動可能であり、
前記摺動フェンスは、前記容器が閉じているときに該摺動フェンスを固定位置から解放するように作動可能な解放機構を含むことを特徴とする請求項６に記載の装置。
【請求項１０】
デンタルピックのシートを受け入れる前記容器内の第１のチャンバと、
第１のチャンバの第１の端部に設けられ、デンタルピックを装填および供給するための開口部と、をさらに備え、
デンタルピックのシートは、第１のチャンバの頂部における前記開口部、そして第１のチャンバに設けられたそれぞれ１つのデンタルピックを収容するように形状づけられた複数の中空キャビティに、該デンタルピックのシートを挿入することによって装填可能であり、
前記分離装置は、第１のチャンバ内で前記中空のキャビティの間に設けられた複数の凹んだブレードを有し、
デンタルピックのシートは、該デンタルピックのシートの前記容器への装填時に前記複数の凹んだブレードによって切り離され、
前記供給装置は、第１のチャンバ内で前記開口部を覆うように設けられ、開位置と閉位置との間で摺動可能なドアを有し、デンタルピックは、前記ドアが開位置にあるときに１つずつ供給されることを特徴とする請求項１に記載の装置。
【請求項１１】
デンタルピックのシートを受け入れる前記容器内の第２のチャンバと、
第２のチャンバの第１の端部に設けられ、デンタルピックを装填および供給するための開口部と、をさらに備え、
前記分離装置は、第２のチャンバ内に設けられた複数の凹んだブレードを有し、
前記供給装置は、第２のチャンバ内で前記開口部を覆うように設けられ、開位置と閉位置との間で摺動可能なドアを有し、
第１のチャンバの開口部は、前記容器の第１の面に面けられ、第２のチャンバの開口部は、前記容器の第２の面に設けられており、
第１のチャンバと第２のチャンバは、互いに固定されていることを特徴とする請求項１０に記載の装置。
【請求項１２】
前記ドアは、ピックが装填されたキャビティを１つずつ開口させるように、前記容器に設けられたノッチ付き通路に沿って摺動可能であることを特徴とする請求項１０に記載の装置。
【請求項１３】
第１のチャンバを有する容器の本体と、
前記本体の第１のチャンバへのアクセスを提供するために、前記本体にヒンジによって取り付けられた蓋と、をさらに備え、
前記分離装置は、前記本体の第１の面に設けられて第１のチャンバ内に延びるプッシュバーを有し、
前記供給装置は、前記本体の底面に開口部を有し、
デンタルピックのシートは、前記プッシュバーが該デンタルピックのシートを交互のパターンで互いに対して折りたたむに従って単一のデンタルピックに分離されることを特徴とする請求項１に記載の装置。
【請求項１４】
前記蓋に取り付けられた複数の接続クリップをさらに備え、これらの接続クリップは、デンタルピックのシートが折りたたまれるときに第１のチャンバに対して該デンタルピックのシートを保持し、
デンタルピックのシートは、前記蓋が開いているときに第１のチャンバに装填され、
前記デンタルピックは、前記プッシュバーを前記容器を通って押して、前記デンタルピックを折って切り離すことによって分離され、
前記プッシュバーは、バネ付勢されていることを特徴とする請求項１３に記載の装置。
【請求項１５】
前記容器の第２の面に設けられた供給装置をさらに備え、この供給装置は、単一のデンタルピックを供給するように前記開口部を通って該デンタルピックを１つずつ移動させることを特徴とする請求項１３に記載の装置。
【請求項１６】
デンタルピックを分離して供給する方法であって、
連結された複数のデンタルピックを含むデンタルピックのシートを入手し、
デンタルピックのシートを容器に装填し、
デンタルピックのシートを個々のデンタルピックに分離し、
個々のデンタルピックを１つずつ供給することを含むことを特徴とする方法。
【請求項１７】
前記容器の第１の本体部と前記容器の第２の本体部とをヒンジを中心に回転させることによって開き、
デンタルピックのシートを前記容器内に配置することをさらに含み、デンタルピックのシートを前記容器内に配置することは、前記容器に連結された複数の壁を含むラックにデンタルピックのシートを配置すること含み、
前記デンタルピックは、前記容器を閉じて、前記複数の壁と第２の本体部に設けられた複数の一段高い面との間で押すことによって分離され、
デンタルピックは、前記容器の開位置において１つのデンタルピックを取り出すことによって供給されることを特徴とする請求項１６に記載の方法。
【請求項１８】
前記容器の第１の本体部と前記容器の第２の本体部とをヒンジを中心に回転させることによって開き、
デンタルピックのシートを前記容器内に配置し、
前記容器の第１の面と第１の本体部に設けられたレッジとの間に１つのデンタルピックを配置することをさらに含み、デンタルピックは、摺動フェンスを用いて位置決め可能であり、
デンタルピックは、容器を閉じて、第１の本体部のレッジと第２の本体部の一段高い面との間で１つのデンタルピックを押すことによって１つずつ分離され、前記一段高い面は、前記容器の外側面から該容器内に内向きに押すことができるレバーまたはボタンに連結されており、
前記デンタルピックは、前記容器をさかさまにして該容器から１つのデンタルピックが落下することを可能とすることにより、重力によって供給されることを特徴とする請求項１６に記載の方法。
【請求項１９】
開口部を覆うドアを開位置に摺動させ、
デンタルピックのシートを前記容器のキャビティと整列させ、
デンタルピックを容器内に押し込み、デンタルピックは、前記容器への装填時に複数のブレードを通過させることによって分離され、
デンタルピックを保管するために前記ドアを閉位置に摺動させることをさらに含むことを特徴とする請求項１６に記載の方法。
【請求項２０】
前記容器の第１の本体部と前記容器の第２の本体部とをヒンジを中心に回転させることによって開き、
デンタルピックのシートを前記容器内に配置し、
デンタルピックを定位置に保持するように、デンタルピックのシート上に接続クリップを配置し、デンタルピックは、プッシュバーによって互いに対して交互のパターンで折りたたみ、互いから折って切り離すことにより分離され、
デンタルピックを供給するために前記容器を開くことをさらに含むことを特徴とする請求項１６に記載の方法。